(57)【要約】【課題】従来のスノーボード用ビンディングにおいては、締具の硬さを調整できない欠点があった。【解決手段】本発明のスノーボード用ビンディングは、ベースプレートと、このベースプレートの一側にその一端を取り付けたブーツ固定用バンドと、上記バンドの他端に連結したバックルと、上記ベースプレートの他側にその一端を取り付け、その他端を上記バックルに連結するベルトと、上記ブーツ固定用バンドに着脱自在に重ねて取り付けた硬度調整板とより成る。また、本発明のスノーボード用ビンディングは、ベースプレートと、ブーツ固定用バンドと、上記バンドの一端に連結したバックルと、上記ベースプレートの一側にその一端を取り付け、その他端を上記バックルに連結するベルトと、上記ブーツ固定用バンドに重ねて固定した硬度調整板と、上記硬度調整板の一端と上記ベースプレートの他側間に介挿したベルト長さ調整ベルトとより成る。【選択図】  図１
2004222983.tif 000002
【特許請求の範囲】
【請求項１】
ベースプレートと、このベースプレートの一側にその一端を取り付けるベルト部及びパット部よりなるブーツ固定用バンドと、上記ブーツ固定用バンドに着脱自在な硬度調整板と、上記バンドの他端側で上記硬度調整板に連結したバックルと、上記ベースプレートの他側にその一端を取り付け、その他端を上記バックルに係合するベルトとより成ることを特徴とするスノーボード用ビンディング。
【請求項２】
ベースプレートと、このベースプレートの一側にその一端を取り付けるベルト部及びパット部よりなるブーツ固定用バンドと、上記ブーツ固定用バンドに固定した硬度調整板と、上記バンドの他端側で上記硬度調整板に連結したバックルと、上記ベースプレートの他側にその一端を取り付け、その他端を上記バックルに係合するベルトとより成ることを特徴とするスノーボード用ビンディング。
【請求項３】
上記硬度調整板が中央部に長手方向に延びる切り欠き溝を有することを特徴とする請求項１または２記載のスノーボード用ビンディング。
【請求項４】
上記切り欠き溝に着脱自在に取り付けられる補助弾性板を有することを特徴とする請求項３記載のスノーボード用ビンディング。
【請求項５】
上記ベルト部が長さ調整自在であることを特徴とする請求項１、２、３または４記載のスノーボード用ビンディング。
【請求項６】
ベースプレートと、ブーツ固定用バンドと、上記ブーツ固定用バンドに固定した硬度調整板と、上記硬度調整板の一端と上記ベースプレートの他側間に形成したベルトと上記バンドの一端側で上記硬度調整板に連結したバックルと、上記ベースプレートの一側にその一端を取り付け、その他端を上記バックルに係合するベルトとより成ることを特徴とするスノーボード用ビンディング。
【請求項７】
上記硬度調整板が帯状弾性板であることを特徴とする請求項１、２、３、４、５または６記載のスノーボード用ビンディング。
【請求項８】
上記硬度調整板が等しい若しくは異なる硬度の１つまたは２以上のものであることを特徴とする請求項１、２、３、４、５、６または７記載のスノーボード用ビンディング。
【発明の詳細な説明】
【０００１】
【発明の属する技術分野】
本発明はスノーボード用ビンディング、特に、硬度調整可能なブーツ固定用バンドを有するスノーボード用ビンディングに関するものである。
【０００２】
【従来の技術】
従来、スノーボード用ビンディングは既知である（特許文献１）。
【０００３】
【特許文献１】
特開平１１−２２６１７１号公報（第１頁〜第３頁、図１）。
【０００４】
図５はこのような従来のスノーボード用ビンディングの斜視図であって、１はスノーボード本体（図示せず）に固定されるベースプレート、２はスノーボード等に固定するセンタープレート、３はブーツの後面に対接されるよう上記ベースプレート１に連結されたハイバック、４は上記ベースプレート１に対する上記ハイバック３の前傾調整用アジャスター、５は上記ブーツの甲部を締め付けるため上記ベースプレート１の一側にその一端を連結したブーツ足首部固定用バンド、６はこのバンド５の他端に取り付けたバンド締付用バックル、７は上記バンド締付用バックル６に挿入するため上記ベースプレート１の他端にその基部を固定した締付ベルト、８はブーツの爪先を締め付けるため上記ベースプレート１に設けたブーツ爪先部固定用バンド、９はバンド締付用バックルを示す。
【０００５】
このような従来のスノーボード用ビンディングにおいては、ベースプレート１にブーツを装着するとき、上記ブーツ足首固定用バンド５を及び締付ベルト７を分離した後、ブーツを上記ベースプレート１にその上方から乗せ、ベルト７をバックル６に挿入し、バックル６を締めてブーツの甲をベースプレート１に固定せしめている。ブーツ爪先部分の固定も同様にして行なっている。
【０００６】
【発明が解決しようとする課題】
然しながら、上記従来のスノーボード用ビンディングにおいては、締具の使用時のフィーリング（硬い・軟らかい）をユーザーが店頭で正確に把握することが難しく、また、実際に使用してみないと、自分の好みがどの程度の硬さのものなのかも、ある程度経験を積んでからでないとわからない部分が多い。価格も安いものでなく、最初に自分の好みに合わない締具を購入してしまうと、しばらくの間は我慢して使用せざるを得ない。また、滑走内容により、異なる硬さの締具を使用することが好ましい場合があり、１つの締具ではこの要求を満たすことは難しい。
【０００７】
本発明はこのような目的に合致するスノーボード用ビンディングを提供するものである。
【０００８】
【課題を解決するための手段】
本発明のスノーボード用ビンディングは、ベースプレートと、このベースプレートの一側にその一端を取り付けるベルト部及びパット部よりなるブーツ固定用バンドと、上記ブーツ固定用バンドに着脱自在な硬度調整板と、上記バンドの他端側で上記硬度調整板に連結したバックルと、上記ベースプレートの他側にその一端を取り付け、その他端を上記バックルに係合するベルトとより成ることを特徴とする。
【０００９】
また、本発明のスノーボード用ビンディングは、ベースプレートと、このベースプレートの一側にその一端を取り付けるベルト部及びパット部よりなるブーツ固定用バンドと、上記ブーツ固定用バンドに固定した硬度調整板と、上記バンドの他端側で上記硬度調整板に連結したバックルと、上記ベースプレートの他側にその一端を取り付け、その他端を上記バックルに係合するベルトとより成ることを特徴とする。
【００１０】
上記硬度調整板は、着脱自在に取り付けられる補助弾性板を有することを特徴とする。
【００１１】
また、上記硬度調整板は、中央部に長手方向に延びる切り欠き溝を有することを特徴とする。
【００１２】
また、上記切り欠き溝に着脱自在に取り付けられる補助弾性板を有することを特徴とする。
【００１３】
また、上記ベルト部は、長さ調整自在であることを特徴とする。
【００１４】
また、本発明のスノーボード用ビンディングは、ベースプレートと、ブーツ固定用バンドと、上記ブーツ固定用バンドに固定した硬度調整板と、上記硬度調整板の一端と上記ベースプレートの他側間に形成したベルトと上記バンドの一端側で上記硬度調整板に連結したバックルと、上記ベースプレートの一側にその一端を取り付け、その他端を上記バックルに係合するベルトとより成ることを特徴とする。
【００１５】
また、上記硬度調整板は、帯状弾性板であることを特徴とする。
【００１６】
上記硬度調整板は、等しい若しくは異なる硬度の１つまたは２以上のものであることを特徴とする。
【００１７】
【発明の実施の形態】
以下図面によって本発明の実施例を説明する。本発明においては図５と同一部分には同一の符号を付し、その説明を省略する。
【００１８】
本発明においては図１に示すように、ブーツ足首固定用バンド５をベースプレート１にその一端を取り付けるベルト部５ａと、パット部５ｂとにより構成し、上記パッド部５ｂ上に、中央部に例えば長さ１３ｃｍ、幅２ｃｍの細長い切り欠き溝１０を形成した例えば長さ２０ｃｍ、幅５ｃｍ、厚さ２ｍｍのナイロン、ポリエステル  エラストマ、ウレタン・ゴム等の硬度調整用の帯状弾性板１１を着脱自在に取り付け、上記バンド５の他端側で上記硬度調整板１１にバンド締付用バックル６を取り付ける。
【００１９】
なお、上記切り欠き溝１０は省略することができる。１５，１６はパッド部５ｂ、硬度調整板１１、バックル６を一体に結合せしめるためのビス及びナットである。
【００２０】
本発明のスノーボード用ビンディングは上記のような構成であるからプレーヤの足首からの力がバンド５に加わったとき帯状弾性板１１が骨組状に変形しバンド５の硬さがバンド５単体の場合より変るようになる。従って、上記帯状弾性板１１として種々の硬さのものを夫々１個またはこれ以上用意しておき、これを選択的に使用すればバンド５の硬さを広い範囲に調節することができるようになる。
【００２１】
また、この帯状弾性板１１は同様にしてブーツ爪先部固定用バンド８にも取り付けることができる。
【００２２】
本発明の他の実施例においては図２に示すようにベルト部５ａをバンド５に形成せず、パット部５ｂの一端にこれをベースプレート１の他側に固定するためのベルト長さ調整ベルト１２を取り付ける。１３，１４はパット部５ｂ、硬度調整板１１、ベルト１２を一体に結合せしめるためのビス及びナットである。
【００２３】
図３は本発明の更に他の実施例を示し、この実施例においては上記帯状弾性板１１の切り欠き溝１０内に硬度調整用の補助弾性部材１７を取り付け固定せしめるようにする。
【００２４】
この固定には例えば補助弾性部材１７の上下縁端面に溝１８を形成し、この溝１８内に上記切り欠き溝１０の内縁を挿入せしめることによって成し得る。
【００２５】
図４は本発明の更に他の実施例を示し、この実施例においては、図３に示す実施例における帯状弾性板１１とベルト長さ調整ベルト１２を一体に形成し、これらをブーツ足首部固定用バンド５上に固定せしめる。
【００２６】
なお、１９は上記補助弾性部材１７の固定を確実ならしめるため上記切り欠き溝１０の内縁に形成した突起、２０は上記ベルト長さ調整ベルト１２をベースプレート１の他端に連結するために設けた複数のビス孔である。
【００２７】
【発明の効果】
本発明のスノーボード用ビンディングは上記のような構成であるから、ユーザーはスノーボード用ビンディング購入後もブーツを締付ける部分であるバンドの硬さを、２段階以上に調整でき、従って、ユーザーは購入する段階で神経質になることなく、購入後も好み・滑走内容によって締具のフィーリングを調整することができるようになる。バンド部分の硬度の違いは、締具としての体感硬度の多くの割合を占めているため、大きな効果を期待できる大きな利益がある。
【図面の簡単な説明】
【図１】本発明のスノーボード用ビンディングの要部の分解斜視図である。
【図２】本発明の他の実施例におけるスノーボード用ビンディングの要部の分解斜視図である。
【図３】本発明の更に他の実施例におけるスノーボード用ビンディングの要部の分解斜視図である。
【図４】本発明の更に他の実施例におけるスノーボード用ビンディングの要部の分解斜視図である。
【図５】従来のスノーボード用ビンディングの斜視図である。
【符号の説明】
１    ベースプレート
２    センタープレート
３    ハイバック
４    前傾調整用アジャスター
５    ブーツ足首部固定用バンド
５ａ  ベルト部
５ｂ  パット部
６    バンド締付用バックル
７    締付ベルト
８    ブーツ爪先部固定用バンド
９    ベルト締付用バックル
１０    切り欠き溝
１１    硬度調整用の帯状弾性板
１２    ベルト長さ調整ベルト
１３    ビス
１４    ナット
１５    ビス
１６    ナット
１７    補助弾性部材
１８    溝
１９  突起
２０  ビス孔
【図１】
2004222983.tif 000003
【図２】
2004222983.tif 000004
【図３】
2004222983.tif 000005
【図４】
2004222983.tif 000006
【図５】
2004222983.tif 000007